(57)【要約】【課題】  一枚のシートから組み立てられる箱であって、堅牢な箱を容易に組み立てることができる箱を得る。【解決手段】  底部２の四辺に設けた隣り合う第１側壁部４と第２側壁部６の間に外方に二つ折りされ三角形となって第２側壁部６の外面側に折り込まれる折込部９を設け、第１側壁部４の外端縁に、第１側壁部の外面側に折り返して第１側壁部４の外面側に折り込まれている折込部９の上に折り重ね第１折返し片１１を設け、第１折返し片１１の両端に、第２側壁部６の外面側に折り曲げられる帯状片１３を設けてなり、帯状片１３は、それぞれ第２側壁部６の外面側に折り曲げたとき、先端部同士が重なる長さに形成し、それぞれの帯状片１３の先端部１３ａに相互に掛止する掛止溝１４を形成した。【選択図】図４
2020164184.tif 000002
【特許請求の範囲】
【請求項１】
一枚のシートから組み立てられる箱であって、矩形状の底部の相対向する二辺にそれぞれ第１折線を介して設けられた一対の第１側壁部と、前記底部の他の相対向する二辺にそれぞれ第２折線を介して設けられた一対の第２側壁部と、隣り合う前記一対の第１側壁部と前記一対の第２側壁部の間に設けられており、両側端縁にそれぞれ第３折線、第４折線を介して連接し、外方に二つ折りされ前記一対の第１側壁部の外面側に折り込まれる折込部と、前記一対の第１側壁部の外端縁に第５折線を介して設けられ、折り返されて前記一対の第１側壁部の外面側に折り込まれている前記折込部の上に折り重ねられる第１折返し片と、前記第１折返し片の両端に第６折線を介して設けられており、前記一対の第２側壁部の外面側に折り曲げられる帯状片とからなり、
前記一対の第１側壁部の前記第１折返し片の両端に設けられた帯状片は、それぞれ前記一対の第２側壁部の外面側に折り曲げたとき、少なくとも先端部同士が重なる長さに形成され、それぞれの帯状片の先端部には相互に掛止する掛止溝が形成されており、それぞれの前記帯状片の先端部を掛止させることにより前記一対の第１側壁部の外面側に折り込まれている前記折込部を前記第１折返し片で押さえ付けるようになっていることを特徴とする箱。
【請求項２】
前記一対の第２側壁部の外端縁には第７折線を介して第２折返し片が設けられ、前記第２折返し片の外端縁には第８折線を介して、前記一対の第２側壁部の外面側に折り曲げられて先端部同士が掛止している前記帯状片の下方から前記帯状片の内側へ折り込まれる折込片が設けられていることを特徴とする請求項１に記載の箱。
【請求項３】
隣り合う前記一対の第１側壁部と前記一対の第２側壁部の間に設けられた折込部は、前記一対の第１側壁部と前記一対の第２側壁部の前記両側端縁を２辺とする正方形に形成され、外方に二つ折りされ三角形となって前記第１側壁部の外面側に折り込まれるようになっていること特徴とする請求項１または２に記載の箱。
【請求項４】
前記シートは、少なくとも内面となる一面に耐液体性加工が施されていることを特徴とする請求項１〜３のいずれか１項請求項１に記載の箱。
【請求項５】
前記シートは、紙製であることを特徴とする請求項１〜４のいずれか１項に記載の箱。
【請求項６】
前記シートは、段ボールシートであることを特徴とする請求項１〜５のいずれか１項に記載の箱。
【発明の詳細な説明】
【技術分野】
【０００１】
本発明は、一枚のシートから組み立てられる箱であって、特に粉体や液状物の収容に適した箱に関する。
【背景技術】
【０００２】
一枚のシートから組み立てられる箱として、図５に示すように、箱本体の四辺形の底壁３０の四周側辺にそれぞれ側壁３１、３１、３２、３２を連設し、隣接する側壁３１、３２の側辺間に跨がって外方に２つ折りされる連結片３３を連設し、箱本体の各側壁３１、３１、３２、３２の上縁および連結片３３の外側片部上縁に外方に折り返される折り返し片３４、３５を連設する共に、この外側片部の折り返し片３６を一対の対向側壁の折り返し片３４の両端に連設し、他の一対の対向側壁の折り返し片３５の先端に連結片と側壁との間に折り込まれる折り込み片３７を連設し、この折り込み片３７が折り返し片３６、連結片３３と側壁３２との間に折り込まれた状態のもとで、一対の対向側壁上部に手掛け部が形成されるものとする段ボール箱が知られている（例えば特許文献１参照。）。
【先行技術文献】
【特許文献】
【０００３】
【特許文献１】特開平１０−２７３１３１号公報
【発明の概要】
【発明が解決しようとする課題】
【０００４】
特許文献１に記載されている段ボール箱によれば、隣接する側壁３１、３２の側辺間に跨がって連接された連結片３３を外方に２つ折りして側壁３２の外面側に折り込み、側壁３１、３１の上縁に連設した折り返し片３４、３６を外方に折り返して、折り返し片３６を連結片３３の上に重ね、側壁３２、３２の上縁に連設した折り返し片３５を外方に折り返して、折り返し片３５の先端に連設した折り込み片３７を折り返し片３６、連結片３３と側壁３２との間に折り込むことにより、箱本体を組み立てるが、側壁３１、３１の外面側への開きを積極的に阻止させる構成がない。このため、箱本体に内容物を詰め込んだとき、側壁３１、３１が内容物の圧力を受けて開いてしまうおそれがあるといった問題がある。
【０００５】
また、隣接する側壁の側辺間に跨がって外方に２つ折りされる連結片３３、３３は、段ボール箱の開口端側の角部が縦方向に切断されている。このため、段ボール箱には、側壁に連結片３３、３３の切断部３８に隙間が生じる。
この結果、内容物が細かい粉体である場合、粉体を箱に満杯に収容すると、粉体が２つ折りされる連結片３３、３３の間を通り連結片３３、３３の切断部３８に生じた隙間から漏れるおそれがあり、また液状物の場合は、連結片３３、３３の切断部３８の隙間から漏れ、そして漏れ出した液状物が切断部の端面から段ボール内に浸透し、箱強度を脆弱化させてしまうことになる。このため、内容物が細かい粉体や液状物である場合、箱に満杯になるまで入れられないといった問題がある。
【０００６】
本発明の目的は、一枚のシートから組み立てられる箱であって、堅牢な箱を組み立てることができる箱を提供することにある。
他の目的は、内容物が細かい粉体や液状物であっても満杯に入れることができる箱を提供することにある。
【課題を解決するための手段】
【０００７】
上記の目的を達成するために、請求項１に記載の発明は、一枚のシートから組み立てられる箱であって、矩形状の底部の相対向する二辺にそれぞれ第１折線を介して設けられた一対の第１側壁部と、前記底部の他の相対向する二辺にそれぞれ第２折線を介して設けられた一対の第２側壁部と、隣り合う前記一対の第１側壁部と前記一対の第２側壁部の間に設けられており、両側端縁にそれぞれ第３折線、第４折線を介して連接し、外方に二つ折りされ前記一対の第１側壁部の外面側に折り込まれる折込部と、前記一対の第１側壁部の外端縁に第５折線を介して設けられ、折り返されて前記一対の第１側壁部の外面側に折り込まれている前記折込部の上に折り重ねられる第１折返し片と、前記第１折返し片の両端に第６折線を介して設けられており、前記一対の第２側壁部の外面側に折り曲げられる帯状片とからなり、前記一対の第１側壁部の前記第１折返し片の両端に設けられた帯状片は、それぞれ前記一対の第２側壁部の外面側に折り曲げたとき、少なくとも先端部同士が重なる長さに形成され、それぞれの帯状片の先端部には相互に掛止する掛止溝が形成されており、それぞれの前記帯状片の先端部を掛止させることにより前記一対の第１側壁部の外面側に折り込まれている前記折込部を前記第１折返し片で押さえ付けるようになっていることを特徴とする。
【０００８】
請求項１に記載の発明によれば、前記一対の第１側壁部の前記第１折返し片の両端に設けられた帯状片は、それぞれ前記一対の第２側壁部の外面側に折り曲げたとき、少なくとも先端部同士が重なる長さに形成され、それぞれの帯状片の先端部には相互に掛止する掛止溝が形成されており、それぞれの前記帯状片の先端部を掛止させることにより前記一対の第１側壁部の外面側に折り込まれている前記折込部を前記第１折返し片で押さえ付けるようになっているので、前記一対の第１側壁部及び前記一対の第２側壁部の開きを前記一対の第１側壁部の前記第１折返し片の両端に設けられた帯状片の先端部同士の掛止により阻止することができ、堅牢な箱を組み立てることができる。
【０００９】
請求項２に記載の発明は、請求項１に記載の、前記一対の第２側壁部の外端縁には第７折線を介して第２折返し片が設けられ、前記第２折返し片の外端縁には第８折線を介して、前記一対の第２側壁部の外面側に折り曲げられて先端部同士が掛止している前記帯状片の下方から前記帯状片の内側へ折り込まれる折込片が設けられていることを特徴とする。
【００１０】
請求項２に記載の発明によれば、前記一対の第２側壁部の外端縁には第７折線を介して第２折返し片が設けられ、前記第２折返し片の外端縁には第８折線を介して、前記一対の第２側壁部の外面側に折り曲げられて先端部同士が掛止している前記帯状片の下方から前記帯状片の内側へ折り込まれる折込片が設けられているので、前記一対の第１側壁部の前記第１折返し片の両端に設けられた前記帯状片の先端部同士が掛止している部分が、前記第２折返し片と、前記第２折返し片の外端縁に設けられた折込片により挟まれるようにして押さえ付けられることになる。
これにより、前記帯状片に強い引っ張り力が加わっても掛止部分が外れるおそれがなく、一層堅牢な箱を組み立てることができる。
【００１１】
請求項３に記載の発明は、請求項１または２に記載の、隣り合う前記一対の第１側壁部と前記一対の第２側壁部の間に設けられた折込部は、前記一対の第１側壁部と前記一対の第２側壁部の前記両側端縁を２辺とする正方形に形成され、外方に二つ折りされ三角形となって前記第１側壁部の外面側に折り込まれるようになっていること特徴とする。
【００１２】
請求項３に記載の発明によれば、隣り合う前記一対の第１側壁部と前記一対の第２側壁部の間に設けられた折込部は、前記一対の第１側壁部と前記一対の第２側壁部の前記両側端縁を２辺とする正方形に形成され、外方に二つ折りされ三角形となって前記第１側壁部の外面側に折り込まれるので、二つ折りされ三角形となった折込部の端面の位置は前記第１側壁部と前記第２側壁部の開口部端面の位置と同じ位置となり、内容物が細かい粉体や液状物であっても満杯に入れることができる。
【００１３】
請求項４に記載の発明は、請求項１〜３のいずれか１項に記載の、前記シートは、少なくとも内面となる一面に耐液体性加工が施されていることを特徴とする。
【００１４】
請求項４に記載の発明によれば、前記シートは、少なくとも内面となる一面に耐液体性加工が施されているので、内容物が液状物であっても内容物が漏れたり、また箱が脆弱化してしまうといったおそれが無い。
【００１５】
請求項５に記載の発明は、請求項１〜４のいずれか１項に記載の、前記シートは、紙製であることを特徴とする。
【００１６】
請求項５に記載の発明によれば、前記シートは紙製であるので、使用後の廃棄が容易で有り、また資源としての再利用が可能となる。
【００１７】
請求項６に記載の発明は、請求項１〜５のいずれか１項に記載の、前記シートは、段ボールシートであることを特徴とする。
【００１８】
請求項６に記載の発明によれば、前記シートは、段ボールシートであるので、軽量で且つ堅牢な箱を得ることができ、また、取扱や製造が容易である。
【発明の効果】
【００１９】
以上のように、本発明に係る箱によれば、堅牢で、且つ内容物が細かい粉体や液状物であっても満杯に入れることができる箱を得ることができる。
【図面の簡単な説明】
【００２０】
【図１】本発明に係る箱の実施の形態の一例を示す斜視図である。
【図２】図１に示す箱の展開図である。
【図３】図１に示す箱を組み立てる工程を示す説明図である。
【図４】図１に示す箱を組み立てる工程を示す説明図である。
【図５】従来の箱を示す斜視図である。
【発明を実施するための形態】
【００２１】
以下、本発明に係る箱の形態の一例を、図面を参照して詳細に説明する。
図１〜図４は本発明に係る箱の実施の形態の一例を示すものであり、図１は本例の箱の斜視図、図２は図１に示す箱の展開図、図３は図１に示す箱を組み立てる工程を示す説明図、図４は図１に示す箱を組み立てる工程を示す説明図である。
【００２２】
本例の箱は、一枚のシートから組み立てられる箱である。
使用されるシートとしては、シート状の材料であれば特に限定されないが、例えば、紙製シート、プラスチック製シート等が使用される。紙製シートとしては厚紙シート、白板紙シート、紙段ボールシート等があり、またプラスチック製シートとしては、プラスチック板状シート、プラスチック段ボールシート等がある。  また、シートには、少なくとも箱の内面となる一面に耐液体性加工が施されているものを使用することができる。耐液体性加工にあっては、厚紙シート、白板紙シート、紙段ボールシート等の紙製シートに、耐液体性のフィルムをラミネートし、或いは耐液体性の塗料をコーティングしてもよく、また、紙層に耐液性剤を含有させるようにしてもよい。
本例では、箱を組み立てるシートとして、箱の内面となる一面に耐液体性の塗料がコーティングされた紙製の段ボールシートが使用されている。
【００２３】
このような段ボールシートで形成される本例の箱１は、図２の展開図で示すように、矩形状の底部２の相対向する二辺にそれぞれ第１折線３を介して第１側壁部４が設けられ、底部２の他の相対向する二辺にそれぞれ第２折線５を介して第２側壁部６が設けられている。
【００２４】
隣り合う第１側壁部４と第２側壁部６の間には、両側端縁にそれぞれ第３折線７、第４折線８を介して連接し、両側端縁を２辺とする正方形に形成され、外方に二つ折りされ三角形となって第１側壁部４の外面側に折り込まれる折込部９が設けられている。
【００２５】
第１側壁部４の外端縁には第５折線１０を介して、一対の第１側壁部の外面側に折り返され、一対の第１側壁部４の外面側に折り込まれている折込部９の上に折り重ねられる第１折返し片１１が設けられている。
第１折返し片１１の両端には第６折線１２を介して、一対の第２側壁部６の外面側に折り曲げられる帯状片１３が設けられている。帯状片１３は、それぞれ一対の第２側壁部６の外面側に折り曲げたとき、少なくとも先端部同士が重なる長さに形成され、それぞれの帯状片１３の先端部１３ａには相互に掛止する掛止溝１４が形成されている。
【００２６】
第２側壁部６の外端縁には第７折線１５を介して第２折返し片１６が設けられ、第２折返し片１６の外端縁には第８折線１７を介して、一対の第２側壁部６の外面側で先端部１３ａ同士が掛止している帯状片１３の下方から帯状片１３の内側へ折り込まれる折込片１８が設けられている。
【００２７】
このような展開構造を有する本例の箱１は、次のようにして組み立てられる。
先ず、底部２の相対向する二辺に設けられている第１側壁部４を第１折線３から折り曲げ立ち上げるとともに、底部２の他の相対向する二辺に設けられている第２側壁部６を第２折線５から折り曲げ立ち上げ、この第１側壁部４と第２側壁部６の立ち上げと同期して、隣り合う第１側壁部４と第２側壁部６の間に設けられている正方形の折込部９を、対角線１９から外方に二つ折りして三角形とし第１側壁部４の外面側に折り込む（図３参照。）。
このとき、折込部９は第１折返し片１１の両端に第６折線１２を介して設けられている帯状片１３と繋がっていないので、折込部９を二つ折りして第１側壁部４の外面側に容易に折り込める。
【００２８】
次に、第１側壁部４の外端縁に設けられている第１折返し片１１を第５折線１０から第１側壁部４の外面側に折り曲げ、第１側壁部４の外面側に折り込まれている折込部９の上に折り重ねる。
この状態から、第１折返し片１１の両端に設けられている帯状片１３を第６折線１２から第２側壁部６の外面側に折り曲げ、それぞれの帯状片１３の先端部１３ａに形成した掛止溝１４を掛止させる（図４参照。）。
【００２９】
次に、第２側壁部６の外端縁に設けられている第２折返し片１６を第７折線１５から第２側壁部６の外面側に折り曲げ、第２側壁部６の外面側で先端部１３ａ同士が掛止している帯状片１３の上に重ねるようにして、第２折返し片１６の外端縁に設けられた折込片１８を第８折線１７から内側に折り曲げ、帯状片１３の下方から帯状片１３の内側へ折り込み、箱１の組み立てが完了する（図１参照。）。
【００３０】
このようにて組み立てられた本例の箱１によれば、第１側壁部４の第１折返し片１１の両端に設けられた帯状片１３は、第１折返し片１１を第１側壁部４の外面側へ折返し、帯状片１３をそれぞれ第２側壁部６の外面側に折り曲げたとき、少なくとも先端部１３ａ同士が重なる長さに形成され、それぞれの帯状片１３の先端部１３ａには相互に掛止する掛止溝１４が形成されており、それぞれの帯状片１３の先端部１３ａを掛止させることにより第１側壁部４の外面側に折り込まれている折込部９を第１折返し片１１で押さえ付けるようになっているので、第１側壁部４及び第２側壁部６の開きを第１側壁部４の第１折返し片１１の両端に設けられた帯状片１３の先端部１３ａ同士の掛止により阻止することができ、堅牢な箱１となる。
また、本例では、第２側壁部６の外端縁に、第７折線１５を介して設けられた第２折返し片１６と、第２折返し片１６の外端縁に第８折線１７を介して設けられ、第２側壁部６の外面側に折り曲げられて先端部１３ａ同士が掛止している帯状片１３の下方から帯状片１３の内側へ折り込まれる折込片１８が設けられているので、帯状片１３の先端部１３ａ同士が掛止している部分が、第２折返し片１６と、第２折返し片１６の外端縁に設けられた折込片１８により挟まれるようにして押さえ付けられることになり、これにより、帯状片１３に強い引っ張り力が加わっても掛止部分が外れるおそれがなく、一層堅牢な箱１となる。
さらに本例では、第１側壁部４と第２側壁部６の間に設けられた折込部９は、第１側壁部４と第２側壁部６の両側端縁を２辺とする正方形に形成され、外方に二つ折りされ三角形となって第１側壁部４の外面側に折り込まれるので、二つ折りされ三角形となった折込部９の端面２０の位置は第１側壁部４と第２側壁部６の開口部端面２１の位置と同じ位置となり、内容物が細かい粉体や液状物であっても満杯に入れることができる。
【符号の説明】
【００３１】
１  箱
２  底部
３  第１折線
４  第１側壁部
５  第２折線
６  第２側壁部
７  第３折線
８  第４折線
９  折込部
１０  第５折線
１１  第１折返し片
１２  第６折線
１３  帯状片
１３ａ  先端部
１４  掛止溝
１５  第７折線
１６  第２折返し片
１７  第８折線
１８  折込片
１９  対角線
２０  端面
２１  開口部端面
【図１】
2020164184.tif 000003
【図２】
2020164184.tif 000004
【図３】
2020164184.tif 000005
【図４】
2020164184.tif 000006
【図５】
2020164184.tif 000007